(57)【要約】【課題】室内側ルーバー羽根と室外側ルーバー羽根との間を外気圧と略同一に保持することにより、水密性能の向上を図った開口部装置を提供すること。【解決手段】躯体の開口部に取り付けられた四方枠の枠体１１に二重羽根構造のルーバー羽根１２を配置し、このルーバー羽根１２の室内側ルーバー羽根２５が高い気密性を保って枠体１１に接し、この室内側ルーバー羽根２５と室外側ルーバー羽根２４との空間２７が外気圧と略同一に保持されていることを特徴とする。【選択図】図１
2007162414.tif 000002
【特許請求の範囲】
【請求項１】
躯体の開口部に取り付けられた四方枠の枠体に二重羽根構造の複層ルーバー羽根を配置し、この複層ルーバー羽根の室内側ルーバー羽根が高い気密性を保って前記枠体に接し、この室内側ルーバー羽根と室外側ルーバー羽根との間が外気圧と略同一に保持されていることを特徴とする開口部装置。
【請求項２】
前記室内側ルーバー羽根と前記室外側ルーバー羽根との間に対応する枠体の下枠に開口部が形成されていることを特徴とする請求項１記載の開口部装置。
【請求項３】
室外側ルーバー羽根が低い気密性を保って前記枠体に接していることを特徴とする請求項１記載の開口部装置。
【発明の詳細な説明】
【技術分野】
【０００１】
本発明は、躯体の開口部に取り付けられた四方枠の枠体に二重羽根構造の複層ルーバー羽根が配置された開口部装置に関する。
【背景技術】
【０００２】
近年、断熱性の向上の観点から、躯体の開口部に取り付けられた四方枠の枠体に、二重羽根構造の複層ルーバー羽根を配置した開口部装置が提案されている（例えば、特許文献１参照）。この種の開口部装置では、複層ルーバー羽根の室内側ルーバー羽根と室外側ルーバー羽根との間に空気層を形成し、この空気層の圧力を室内圧力と略同一に設定するために、室外側ルーバー羽根と枠体との間にシール部材を配置し、当該室外側ルーバー羽根が配置されたラインを気密ラインとして設計するのが一般的である。
【特許文献１】特開平１１−７１９７４号公報
【発明の開示】
【発明が解決しようとする課題】
【０００３】
ところで、一般的には室外空間の圧力（外気圧）は、室内空間の圧力よりも高くなっている。このため、従来の構成では、室外側ルーバー羽根と枠体との隙間から雨水が浸入した場合には、室内外間の圧力差に伴う気流が生じ、この気流とともに雨水が室内空間に浸入することがあり、水密性能が十分でないといった問題があった。
そこで、本発明の目的は、上述した従来の技術が有する課題を解消し、室内側ルーバー羽根と室外側ルーバー羽根との間を外気圧と略同一に保持することにより、水密性能の向上を図った開口部装置を提供することにある。
【課題を解決するための手段】
【０００４】
上記目的を達成するために、本発明は、躯体の開口部に取り付けられた四方枠の枠体に二重羽根構造の複層ルーバー羽根を配置し、この複層ルーバー羽根の室内側ルーバー羽根が高い気密性を保って前記枠体に接し、この室内側ルーバー羽根と室外側ルーバー羽根との間が外気圧と略同一に保持されていることを特徴とする。
【０００５】
この構成によれば、室内側ルーバー羽根と室外側ルーバー羽根との空間が外気圧と略同一の圧力に保持されていることにより、この空間に室外側ルーバー羽根と枠体との隙間から雨水が浸入した場合であっても、この雨水には重力が加わることによって下方に落下するため、当該雨水が屋内に浸入することが防止され、開口部装置の水密性能の向上を図ることができる。
【０００６】
この場合において、室内側ルーバー羽根と室外側ルーバー羽根との間に対応する枠体の下枠に開口部が形成されている構成としても良い。また、室外側ルーバー羽根が低い気密性を保って枠体に接している構成としても良い。
【発明の効果】
【０００７】
本発明では、室内側ルーバー羽根と室外側ルーバー羽根との空間が外気圧と略同一に保持されているため、この空間に室外側ルーバー羽根と枠体との隙間から雨水が浸入しても、この雨水は重力が加わることによって下方に落下する。従って、雨水が屋内に浸入することが防止されることにより、水密性能の向上を図ることができる。
【発明を実施するための最良の形態】
【０００８】
以下、添付図面を参照して本発明の一実施形態について説明する。
図１は本実施形態にかかる可動ルーバー窓（開口部装置）を示す縦断面図、図２はこの可動ルーバー窓の横断面図である。
【０００９】
図１および図２において、符号１０は本実施形態にかかる可動ルーバー窓を示し、この可動ルーバー窓１０は、躯体に形成された開口部（不図示）に取り付けられた枠体１１と、この枠体１１の上下方向に並べて配置される複数のルーバー羽根（複層ルーバー羽根）１２とを備えて構成されている。枠体１１は、アルミニウム合金製の押出形材からなる上枠１１ａと下枠１１ｂと縦枠１１ｃ、１１ｄとを方形に組んでタッピングねじ等の固定具で結合することにより構成されている。縦枠１１ｃ、１１ｄは、図２に示すように、これら縦枠１１ｃ、１１ｄの室外側に、上記可動ルーバー窓１０の見付け方向に延出した延出部１３ａ、１３ｂを備え、これら延出部１３ａ、１３ｂには、上記ルーバー羽根１２が支軸１４（図１）を中心に回動自在に支持されている。
【００１０】
ルーバー羽根１２は、図１に示すように、二重羽根構造に構成されており、可動ルーバー窓１０の見込み方向に並べて配置される２枚のガラスパネル板１５、１６と、これらガラスパネル板１５、１６を両端で保持するパネルホルダ１７とを備える。このパネルホルダ１７には、上記支軸１４から延出されたレバー部材１８が一体的に設けられており、このレバー部材１８同士は連結軸１９を介して連動棒２０に連結されている。一方の連動棒２０には、図２に示すように、リンク２１、２２を介して、上記ルーバー羽根１２の開閉操作を行なうハンドル２３が取り付けられ、このハンドル２３は、当該ハンドル２３の回転運動を上下運動に変換する変換装置（例えばウォームギア等）を備えている。
ハンドル２３を回転させると、変換装置はその回転運動を上下運動に変換し、この上下運動をリンク２１、２２を介して連動棒２０に伝達する。そして、連動棒２０が上下方向に動作することにより、レバー部材１８を介してすべてのルーバー羽根１２が同時に同一方向に回動するため、これらルーバー羽根１２を開閉操作することができる。
【００１１】
本実施形態では、室外側に配置されたガラスパネル板１５及びパネルホルダ１７が室外側ルーバー羽根２４として機能し、室内側に配置されたガラスパネル板１６及びパネルホルダ１７が室内側ルーバー羽根２５として機能する。
【００１２】
また、枠体１１の下枠１１ｂには、図１に示すように、室内側ルーバー羽根２４の下方に開口部２６が形成されている。この開口部２６は、室外側空間に連通されており、ルーバー羽根１２が閉じた状態において、室外側ルーバー羽根２４と室内側ルーバー羽根２５との間の空間２７を外気圧と略同一の圧力に保持するようになっている。また、開口部２６は、図３に示すように、室内側ルーバー羽根２４の下方における下枠１１ｂに大きく開口しているため、上記室外側ルーバー羽根２４と室内側ルーバー羽根２５との間の空間２７内に雨水が浸入した場合に、この雨水を屋外に排出可能となっている。
【００１３】
このような構成において、可動ルーバー窓１０は、この可動ルーバー窓１０を通じて、雨水が屋内に浸入しないように枠体１１とルーバー羽根１２との間にシール部材が設けられている。本実施形態では、室内側ルーバー羽根２５が上下方向に並ぶラインが気密ラインに設定されており、この室内側ルーバー羽根２５は高い気密性を保って枠体１１に接するようになっている。本実施形態では、外気圧は室内圧力よりも高くなっているため、高い気密性とは、これら外気圧と室内圧力との差圧を保持できる程度の気密性をいう。すなわち、室内側ルーバー羽根２５を閉じた状態においては、上記差圧によって、当該室内側ルーバー羽根２５と枠体１１との間に気流が生じないようになっている。
【００１４】
上枠１１ａは、図１に示すように、この上枠１１ａの室外側面１１ａ１の下端部１１ａ２から下方に向けて室外側シール保持部３１が延出し、この室外側シール保持部３１の先端部３１ａには、ゴム等の弾性材からなる、ひれ状のシール部材３２が取り付けられている。このシール部材３２は、室外側ルーバー羽根２４が閉じた際に、当該室外側ルーバー羽根２４の上部に当接して水密性を保持するようになっている。また、上枠１１ａには、この上枠１１ａの上記下端部１１ａ２から見込み方向に向けて室内側シール保持部３３が延出し、この室内側シール保持部３３の先端部３３ａには、ゴム等の弾性材からなる、ひれ状のシール部材３４が取り付けられている。このシール部材３４は、室内側ルーバー羽根２５が閉じた際に、当該室外側ルーバー羽根２５の上部に当接して水密性を保持するようになっている。
【００１５】
また、下枠１１ｂは、上記開口部２６が形成された面１１ｂ１の先端部１１ｂ２から上方に向けて、室外側シール保持部３５が延出し、この室外側シール保持部３５の先端部３５ａには、ゴム等の弾性材からなる、ひれ状のシール部材３６が取り付けられている。このシール部材３６は、室外側ルーバー羽根２４が閉じた際に、当該室外側ルーバー羽根２４の下部に当接して水密性を保持するようになっている。また、下枠１１ｂには、ホロー状に形成されたホロー部１１ｂ３の一端１１ｂ４から上方に向けて室内側シール保持部３７が延出し、この室内側シール保持部３７の先端部３７ａには、ゴム等の弾性材からなる、ひれ状のシール部材３８が取り付けられている。このシール部材３８は、室内側ルーバー羽根２５が閉じた際に、当該室外側ルーバー羽根２５の下部に当接して水密性を保持するようになっている。
【００１６】
また、縦枠１１ｃの延出部１３ａにおけるルーバー羽根１２の取り付け面１３ａ１には、上記延出部１３ａの上下方向に沿って２列のシール部材４１、４２が設けられている。これらのシール部材４１、４２は、ルーバー羽根１２を閉じた場合に、室外側ルーバー羽根２４及び室内側ルーバー羽根２５の側端面１７Ａ１と当接して水密性を保持するようになっている。また、縦枠１１ｄの延出部１３ｂにおけるルーバー羽根１２の取り付け面１３ｂ１には、上記延出部１３ｂの上下方向に沿って２列のシール部材４３、４４が設けられている。これらのシール部材４３、４４は、ルーバー羽根１２を閉じた場合に、室外側ルーバー羽根２４及び室内側ルーバー羽根２５の側端面１７Ａ２と当接して水密性を保持するようになっている。
【００１７】
シール部材４１は、図４に示すように、軟質ゴム（硬度が４５度〜５５度）等の弾性材からなるシール部材本体４１Ａと、このシール部材本体４１Ａの下面に設けられた脚部４１Ｂとを備える。この脚部４１Ｂは、延出部１３ａの取り付け面１３ａ１に形成された取り付け溝に嵌合可能に形成されている。シール部材本体４１Ａは、中空のホロー状に形成されており、室外側ルーバー羽根２４の側端面１７Ａ１と当接して容易に変形可能になっている。また、シール部材本体４１の表面には、室外側ルーバー羽根２４が開閉動作する際に、当該室外側ルーバー羽根２４の側端面１７Ａ１との摩擦抵抗を減じるべく、すべり加工が施されている。なお、シール部材４２〜４４は、上記シール部材４１と同一の構成であるため説明を省略する。
【００１８】
図５Ａはパネルホルダ１７を示す斜視図であり、図５Ｂはパネルホルダ１７の側面図である。パネルホルダ１７は、上下方向に所定の寸法だけ位置をずらし、かつ所定の間隔をおいて平行に配置された上下一対の第１及び第２のパネル保持部５１、５２を備え、これらパネル保持部５１、５２同士はその開放面を同一方向に向けて一体に成形されている。パネル保持部５１、５２は、断面が略コ字状に形成されたガラスパネル板１５、１６の嵌合空間を備え、この嵌合空間にはガラスパネル板１５、１６の表面を押圧して、当該ガラスパネル板１５、１６を保持する保持爪５３が形成されている。
【００１９】
また、第２のパネル保持部５２には、図５Ｂ及び図６に示すように、ルーバー羽根１２を閉じたときに、隣接する上下の室内側ルーバー羽根２５のそれぞれの端部同士が密着するように、その対応部分を切り欠いてガラスパネル板１６と同一面になるように、切り欠き部５２Ａが形成され、この切り欠き部５２Ａには、例えばスポンジゴム等からなる帯状のシール部材５４が接着剤等により固着されている。これによれば、このシール部材５４によって、室内側ルーバー羽根２５間を通じて雨水が室内側に浸入することが防止される。
【００２０】
本実施形態によれば、躯体の開口部に取り付けられた四方枠の枠体１１に二重羽根構造のルーバー羽根１２を配置し、このルーバー羽根１２の室内側ルーバー羽根２５が高い気密性を保って枠体１１に接し、この室内側ルーバー羽根２５と室外側ルーバー羽根２４との空間２７が外気圧と略同一の圧力に保持されているため、この空間２７に室外側ルーバー羽根２４と枠体１１との隙間から雨水が浸入した場合であっても、この雨水には重力が加わることによって下方に落下する。このため、この雨水が室内側ルーバー羽根２５と枠体１１との隙間を通じて室内空間に浸入することが防止され、可動ルーバー窓１０の水密性能の向上を図ることができる。
【００２１】
また、本実施形態によれば、室内側ルーバー羽根２５と室外側ルーバー羽根２４との間に対応する枠体１１の下枠１１ｂに室外側空間と連通する開口部２６が形成されているため、室外側ルーバー羽根２４と枠体１１との隙間を通じて、上記空間２７に雨水が浸入したとしても、この雨水は上記開口部２６から室外側空間に排出されるため、当該雨水が屋内に浸入することが防止され、可動ルーバー窓１０の水密性能の向上を図ることができる。
【００２２】
上述した実施形態は、あくまでも本発明の一態様にすぎず、本発明の範囲内で任意に変形可能である。例えば、本実施形態では、室外側ルーバー羽根２４と枠体１１との間には、室内側ルーバー羽根２５と枠体１１との間に用いたシール部材３４、３８、４２、４４、５４と略同一のシール部材３２、３６、４１、４３を設けた構成としているが、これに限るものではなく、室外側ルーバー羽根２４が低い気密性を保って枠体に接する構成としても良い。具体的には、室外側ルーバー羽根２４と枠体１１との間には、例えばモヘア部材等の気密性の比較的低いシール部材を配置したり、シール部材を配置しない構成としても良い。この場合であっても、室外側ルーバー羽根２４と枠体１１との隙間を通じて、上記空間２７に浸入した雨水は、重力が加わることによって下方に落下し、上記開口部２６から外部空間に排出されるため、当該雨水が屋内に浸入することが防止され、可動ルーバー窓１０の水密性能の向上を図ることができる。
【図面の簡単な説明】
【００２３】
【図１】本発明の実施の形態である可動ルーバー窓の縦断面図である。
【図２】可動ルーバー窓の横断面図である。
【図３】下枠に形成された開口部を示す枠体の上面図である。
【図４】縦枠に取り付けられるシール部材の断面図である。
【図５】Ａはパネルホルダを示す斜視図であり、Ｂはパネルホルダの側面図である。
【図６】ルーバー羽根が閉じた状態を示す図である。
【符号の説明】
【００２４】
１０  可動ルーバー窓（開口部装置）
１１  枠体
１１ｂ  下枠
１２  ルーバー羽根（複層ルーバー羽根）
１５、１６  ガラスパネル
１７  パネルホルダ
２０  連動棒
２４  室外側ルーバー羽根
２５  室内側ルーバー羽根
２６  開口部
２７  空間（室内側ルーバー羽根と室外側ルーバー羽根との間）
３２、３４、３６、３６、４１〜４４、５４  シール部材
【図１】
2007162414.tif 000003
【図２】
2007162414.tif 000004
【図３】
2007162414.tif 000005
【図４】
2007162414.tif 000006
【図５】
2007162414.tif 000007
【図６】
2007162414.tif 000008